(57)【要約】【課題】剛性が強く、使用上の利便性が良い平面視台形状の包装箱を提供する。【解決手段】横方向に連続する第１から第４の壁部１１，１２，１９，２０を備え、第１壁部１１を第３壁部１９の横方向の寸法より小さく設定し、第１および第３壁部１１，１９に内側に配置する第１および第３フラップ１５Ａ，２３Ａを連設するとともに、第２および第４壁部１２，２０に外側を閉塞する第２および第４フラップ１６Ａ，２４Ａを連設し、これらフラップにより蓋を構成する包装箱において、第１および第３壁部１１，１９に連設した第１および第３フラップ１５Ａ，２３Ａの両側縁それぞれの少なくとも一部を、組立状態で隣接する第２壁部１２と第２フラップ１６Ａとの稜部、および、第４壁部２０と第４フラップ２４Ａとの稜部に沿って延びる傾斜角度とする。【選択図】図１
2007230630.tif 000002
【特許請求の範囲】
【請求項１】
横方向に連続する第１から第４の壁部を備え、第１壁部を第３壁部の横方向の寸法より小さく設定し、前記第１および第３壁部に内側に配置する第１および第３フラップを連設するとともに、第２および第４壁部に外側を閉塞する第２および第４フラップを連設し、これらフラップにより蓋を構成する包装箱において、
前記第１および第３壁部に連設した第１および第３フラップの両側縁それぞれの少なくとも一部を、組立状態で隣接する第２壁部と第２フラップとの稜部、および、第４壁部と第４フラップとの稜部に沿って延びる傾斜角度としたことを特徴とする包装箱。
【請求項２】
隣接する前記第１から第４の壁部の境界部分に設けた折曲線のうち１つを基点として、全周の略半分の位置に縦方向に延びる折畳用折曲線を設け、非使用時に平坦に折畳可能とし、
前記第１フラップの少なくとも一方側縁部に、折畳状態で隣接する第２または第４フラップの側縁部を嵌める切欠部を設けたことを特徴とする請求項１に記載の包装箱。
【請求項３】
矩形状をなす第１壁部と、該第１壁部の一端から略直角方向に延びる第２壁部と、該第２壁部の一端から略直角方向に延び対向する前記第１壁部より横方向の寸法が大きい第３壁部と、該第３壁部の一端から前記第１壁部の他端にかけて延び対向する前記第２壁部より横方向の寸法が大きい第４壁部とを備えた平面視台形状の包装箱において、
隣接する前記第１から第４の壁部の境界部分に設けた折曲線のうち１つを基点として、全周の略半分の位置に縦方向に延びる折畳用折曲線を設け、非使用時に平坦に折畳可能としたことを特徴とする包装箱。
【発明の詳細な説明】
【技術分野】
【０００１】
本発明は、包装箱に関するものである。
【背景技術】
【０００２】
本発明の包装箱に関連する先行技術文献情報としては次のものがある。
【０００３】
【特許文献１】特開２００３−２６７３４２号公報
【０００４】
この特許文献１には、ブラウン管製のテレビやモニタを収容するための平面視等脚台形状をなす包装箱が記載されている。この包装箱のブランクは、横方向に連続する第１から第４の壁部を備え、対向する第１および第３の壁部の横方向の寸法は異なるように形成されている。また、各壁部の上下端縁には、蓋を構成する第１から第４のフラップがそれぞれ連設されている。
【０００５】
そのうち、第２および第４フラップは、連続する壁部との境界である折曲線からなる一辺を斜辺とし、両側縁と先端縁とのなす角を９０度とした台形状に形成されている。また、第３壁部より横方向の寸法が短い第１壁部に連設した第１フラップは、隣接する第２および第４フラップの一部が突出するため、等脚台形状に形成されている。さらに、横方向の寸法が長い第３壁部に連設した第３フラップは、組立状態で隣接する第２および第４の壁部とフラップとの稜部に沿って延びるように等脚台形状に形成されている。
【０００６】
しかしながら、この包装箱は、短尺な第１壁部の四隅の剛性が弱いため、その隅部に外力が加わると変形が生じ易いという問題がある。ここで、特に家庭用電気製品を収容するための包装箱は、外観に潰れるような変形が生じている場合、内部の商品まで破損している印象を購入者に与えるため、商品価値が著しく低下するという問題がある。
【発明の開示】
【発明が解決しようとする課題】
【０００７】
本発明は、従来の問題に鑑みてなされたもので、剛性が強く、使用上の利便性が良い平面視台形状の包装箱を提供することを課題とするものである。
【課題を解決するための手段】
【０００８】
前記課題を解決するため、本発明の第１の包装箱は、横方向に連続する第１から第４の壁部を備え、第１壁部を第３壁部の横方向の寸法より小さく設定し、前記第１および第３壁部に内側に配置する第１および第３フラップを連設するとともに、第２および第４壁部に外側を閉塞する第２および第４フラップを連設し、これらフラップにより蓋を構成する包装箱において、前記第１および第３壁部に連設した第１および第３フラップの両側縁それぞれの少なくとも一部を、組立状態で隣接する第２壁部と第２フラップとの稜部、および、第４壁部と第４フラップとの稜部に沿って延びる傾斜角度としている。
【０００９】
この包装箱では、隣接する前記第１から第４の壁部の境界部分に設けた折曲線のうち１つを基点として、全周の略半分の位置に縦方向に延びる折畳用折曲線を設け、非使用時に平坦に折畳可能とし、前記第１フラップの少なくとも一方側縁部に、折畳状態で隣接する第２または第４フラップの側縁部を嵌める切欠部を設けることが好ましい。
【００１０】
また、本発明の第２の包装箱は、矩形状をなす第１壁部と、該第１壁部の一端から略直角方向に延びる第２壁部と、該第２壁部の一端から略直角方向に延び対向する前記第１壁部より横方向の寸法が大きい第３壁部と、該第３壁部の一端から前記第１壁部の他端にかけて延び対向する前記第２壁部より横方向の寸法が大きい第４壁部とを備えた平面視台形状の包装箱において、隣接する前記第１から第４の壁部の境界部分に設けた折曲線のうち１つを基点として、全周の略半分の位置に縦方向に延びる折畳用折曲線を設け、非使用時に平坦に折畳可能としたものである。
【発明の効果】
【００１１】
本発明の包装箱では、内フラップを構成する第１および第３フラップの両側縁が隣接する第２壁部と第２フラップの稜部、および、第４壁部と第４フラップの稜部に沿って延びるため、全ての隅部の剛性は勿論、全体の剛性を高めることができる。そのため、包装箱が変形することに伴う問題を確実に防止できる。
【００１２】
また、第１から第４の壁部の境界に設けた折曲線の１つを基点として全周の略半分の位置に折畳用折曲線を設け、非使用状態では平坦に折畳可能としているため、保管スペースの削減を図ることができる。また、使用時には、ホットメルトなどによる糊付けが不要であるため、商品の収容時の作業性を向上できる。しかも、第１フラップには、隣接する第２または第４フラップの側縁部を嵌め込む切欠部を設けているため、非使用状態における重畳部分に起因する嵩張りが生じることを防止できる。
【発明を実施するための最良の形態】
【００１３】
以下、本発明の実施の形態を図面に従って説明する。
【００１４】
図１から図６は、本発明の実施形態に係る包装箱を示す。この包装箱は、電子ピアノなどを収容するもので、組立状態の平面視で２つの角部が直角となる台形状のものである。
【００１５】
この包装箱は、表紙および裏紙の間に波状の中しんを配設した周知の段ボール紙を、周知の紙器打抜装置（図示せず）によって図６（Ａ），（Ｂ）に示す二枚のブランク１０，１８として打ち抜き、所定部位を糊付けにより貼着して成形される。
【００１６】
図６（Ａ）に示すように、第１ブランク１０は、横方向に連続する長方形状をなす第１壁部１１と第２壁部１２とを備えている。また、第１壁部１１の端縁には、後述する第２ブランク１８の第４壁部２０に貼着するための第１糊代部１３が設けられている。そして、これらの各境界部分には、肉厚を圧縮するように罫を入れて形成した縦方向に延びる折曲線１４ａ，１４ｂが設けられている。また、第１壁部１１および第２壁部１２の上下端縁には、第１フラップ１５Ａ，１５Ｂおよび第２フラップ１６Ａ，１６Ｂがそれぞれ連設され、その境界部分には前記と同様の折曲線１７ａ，１７ｂが設けられている。
【００１７】
図６（Ｂ）に示すように、第２ブランク１８は、横方向に連続する長方形状をなす第３壁部１９と第４壁部２０とを備えている。また、第３壁部１９の端縁には、前記第１ブランク１０の第２壁部１２に貼着するための第２糊代部２１が設けられている。そして、これらの各境界部分には、前記と同様に折曲線２２ａ，２２ｂが設けられている。また、第３壁部１９および第４壁部２０の上下端縁には、第３フラップ２３Ａ，２３Ｂおよび第４フラップ２４Ａ，２４Ｂがそれぞれ連設され、その境界部分には前記と同様の折曲線２５ａ，２５ｂが設けられている。
【００１８】
これらブランク１０，１８は、第１糊代部１３を第４壁部２０の端縁に酢酸ビニルエマルジョン系などの接着剤で貼着するとともに、第２糊代部２１を第２壁部１２の端縁に同様に貼着することにより、第１から第４の壁部１１，１２，１９，２０が横方向に連続し、上下端縁に蓋を構成するフラップ１５Ａ，１５Ｂ，１６Ａ，１６Ｂ，２３Ａ，２３Ｂ，２４Ａ，２４Ｂを連設した１個の包装箱を構成する。なお、形式的にフラップ１５Ａ，１６Ａ，２３Ａ，２４Ａを上側、フラップ１５Ｂ，１６Ｂ，２３Ｂ，２４Ｂを下側と規定しているが、実際の使用上に上下の制限はない。
【００１９】
図５も参照すれば明らかなように、対向する一対の第１壁部１１および第３壁部１９は、隣接する第２壁部１２に対して略直角に屈曲されて同一方向に略平行に延びる。但し、第１壁部１１は、第３壁部１９より横方向の寸法を小さく設定されている。そのため、第４壁部２０は、第１壁部１１および第３壁部１９の端部間にかけて傾斜して延びるように、対向する第２壁部１２より横方向の寸法が大きく設定されている。言い換えれば、これらブランク１０，１８による包装箱は、矩形状をなす第１壁部１１と、該第１壁部１１の一端から略直角方向に延びる第２壁部１２と、該第２壁部１２の一端から略直角方向に延び対向する前記第１壁部１１より横方向の寸法が大きい第３壁部１９と、該第３壁部１９の一端から前記第１壁部１１の他端にかけて延び対向する前記第２壁部１２より横方向の寸法が大きい第４壁部２０とを備えた平面視台形状に組み立てられるように構成されている。
【００２０】
各ブランク１０，１８のうち、第２ブランク１８の第３壁部１９には、連設した第３フラップ２３Ａ，２３Ｂの先端間にかけて縦方向に延びる折畳用折曲線２６が設けられている。この折畳用折曲線２６は、図１も参照すれば明らかなように、ブランク１０，１８を貼着した状態において、隣接する第１から第４の壁部１１，１２，１９，２０の境界部分に設けた折曲線１４ａ，１４ｂ，２２ａ，２２ｂのうち、折曲線１４ａを基点として、全周の略半分の位置に縦方向に延びるように設けられている。これにより、この折畳用折曲線２６と折曲線１４ａとに沿って折り曲げることにより、非使用時には平坦に折り畳むことができるように構成されている。
【００２１】
また、第１壁部１１に連設した第１フラップ１５Ａ，１５Ｂ、および、第３壁部１９に連設した第３フラップ２３Ａ，２３Ｂは、第２フラップ１６Ａ，１６Ｂおよび第４フラップ２４Ａ，２４Ｂの内側に位置される内フラップを構成する。さらに、第２壁部１２に連設した第２フラップ１６Ａ，１６Ｂ、および、第４壁部２０に連設した第４フラップ２４Ａ，２４Ｂは、第１フラップ１５Ａ，１５Ｂおよび第３フラップ２３Ａ，２３Ｂの外側に重畳される外フラップを構成する。
【００２２】
そのうち、第１ブランク１０の第２フラップ１６Ａ，１６Ｂは、組立状態で連続した第２壁部１２に対して、隣接する第１壁部１１および第３壁部１９が直角に屈曲して延びるため、その両側縁と折曲線１７ａ，１７ｂとのなす角は９０度になるように構成されている。また、その先端縁は、折曲線１７ａ，１７ｂと平行に延びるように設定されている。これにより、第２フラップ１６Ａ，１６Ｂは長方形状をなし、その両側縁が隣接する第１壁部１１および第３壁部１９に沿って延びるように構成されている。
【００２３】
また、第２ブランク１８の第３フラップ２３Ａ，２３Ｂは、組立状態で連続した第３壁部１９に対して、一方に隣接する第２壁部１２が直角に屈曲して延びるため、その側縁と折曲線２５ａ，２５ｂとのなす角は９０度になるように構成されている。また、他方に隣接する第４壁部２０は９０度未満の鋭角（７８度）に屈曲して延びるため、その側縁と折曲線２５ａ，２５ｂとのなす角は同一の傾斜角度（７８度）になるように構成されている。さらに、第３フラップ２３Ａ，２３Ｂの先端縁は、折曲線２５ａ，２５ｂと平行に延びるように設定されている。これにより、第３フラップ２３Ａ，２３Ｂは２つの角部を直角とした台形状をなし、その両側縁が隣接する第２壁部１２と第２フラップ１６Ａ，１６Ｂとの稜部、および、第４壁部２０と第４フラップ２４Ａ，２４Ｂとの稜部に沿って延びるように構成されている。
【００２４】
さらに、第２ブランク１８の第４フラップ２４Ａ，２４Ｂは、組立状態で連続した第４壁部２０に対して、一方に隣接する第１壁部１１が９０度より大きい鈍角（１０２度）に屈曲して延びるため、その側縁と折曲線２５ａ，２５ｂとのなす角は同一の傾斜角度（１０２度）になるように構成されている。また、他方に隣接する第３壁部１９は９０度未満の鋭角（７８度）に屈曲して延びるため、その側縁と折曲線２５ａ，２５ｂとのなす角は同一の傾斜角度（７８度）になるように構成されている。これにより、第４フラップ２４Ａ，２４Ｂの両側縁は、折曲線２５ａ，２５ｂに対して所定角度で傾斜して、互いに平行に延びる。さらに、第４フラップ２４Ａ，２４Ｂの先端縁は、折曲線２５ａ，２５ｂに対して傾斜し、両側縁に対して直角に延びるように設定されている。これにより、第４フラップ２４Ａ，２４Ｂは２つの角部を直角とした台形状をなし、その両側縁が隣接する第１壁部１１および第３壁部１９に沿って延び、その先端縁が第３フラップ２３Ａ，２３Ｂの先端縁と突き合わさるように構成されている。
【００２５】
そして、第１ブランク１０の第１フラップ１５Ａ，１５Ｂは、組立状態で連続した第１壁部１１に対して、一方に隣接する第２壁部１２が直角に屈曲して延びるため、その側縁と折曲線１７ａ，１７ｂとのなす角は９０度になるように構成されている。また、他方に隣接する第４壁部２０は９０度より大きい鈍角（１０２度）に屈曲して延びるため、その側縁の基部と折曲線１７ａ，１７ｂとのなす角は同一の傾斜角度（１０２度）とし、第１フラップ１５Ａ，１５Ｂの中間位置から折曲線１７ａ，１７ｂとのなす角が９０度になるように更に屈曲して延びるように構成されている。さらに、第１フラップ１５Ａ，１５Ｂの先端縁は、折曲線１７ａ，１７ｂと平行に延びるように設定されている。これにより、第１フラップ１５Ａ，１５Ｂは３つの角部を直角とした五角形状をなし、その一方の側縁が隣接する第２壁部１２と第２フラップ１６Ａ，１６Ｂとの稜部に沿って延び、他方の側縁の一部が第４壁部２０と第４フラップ２４Ａ，２４Ｂとの稜部に沿って延びるように構成されている。
【００２６】
しかも、本実施形態では、折畳状態（非使用状態）で第１フラップ１５Ａ，１５Ｂの表面側に、隣接する第４フラップ２４Ａ，２４Ｂの側縁部が重畳するように突出する。そのため、その対応位置である第１フラップ１５Ａ，１５Ｂの一方側縁の基部には、第４フラップ２４Ａ，２４Ｂの側縁部を嵌める切欠部２７が設けられている。これにより、非使用状態における重畳部分に起因する嵩張りが生じることを防止している。
【００２７】
次に、前記ブランク１０，１８からなる包装箱の製造および使用について具体的に説明する。
【００２８】
紙器打抜装置によって２種のブランク１０，１８を打ち抜くと、ついで、第１ブランク１０の第２壁部１２の縁または第２ブランク１８の第２糊代部２１に接着剤を塗布する。そして、第２壁部１２の内面側に第２糊代部２１を重畳させ、その重畳部分を加圧することにより、糊付けにより互いに貼着するとともに、重畳部分を重畳していない部分の肉厚と略同等となるように圧縮する。
【００２９】
その後、第１ブランク１０の第１糊代部１３または第２ブランク１８の第４壁部２０の縁に接着剤を塗布する。そして、折曲線１４ａに沿って第１壁部１１を第２壁部１２に対して折り曲げるとともに、折畳用折曲線２６に沿って第３壁部１９および第３フラップ２３Ａ，２３Ｂを折り曲げる。これにより、第４壁部２０の内面側に第１糊代部１３を重畳させ、その重畳部分を加圧することにより、糊付けにより互いに貼着するとともに、重畳部分を重畳していない部分の肉厚と略同等となるように圧縮する。
【００３０】
これにより、図１に示すように、２つのブランク１０，１８を糊付けにより一体化し、各壁部１１，１２，１９，２０の横方向の寸法全てが異なるにも拘わらず、平坦に折り畳んだ使用前の包装箱を形成することができる。
【００３１】
この包装箱は、以上のように一体化して平坦に折り畳んだ状態で、所定の製造メーカに出荷される。そのため、搬送時には、無駄な嵩張りを生じさせることがない。しかも、購入した製造メーカでは、未使用状態が平坦な状態をなすため、保管スペースの削減を図ることができる。また、使用時には、ホットメルトなどによる糊付けが不要であるため、後述する商品の収容時の作業性を向上できる。
【００３２】
前記包装箱に商品を収容する場合には、まず、図２に示すように、折畳用折曲線２６に沿って折り曲げられている第３壁部１９および第３フラップ２３Ａ，２３Ｂを平坦に延ばし、各折曲線１４ａ，１４ｂ，２２ａ，２２ｂに沿って各壁部１１，１２，１９，２０を折り曲げ、平面視台形状をなすように広げる。
【００３３】
ついで、図３に示すように、第１フラップ１５Ｂを内向きに折り曲げるとともに、第３フラップ２３Ｂを内向きに折り曲げる。この状態では、図示のように、内フラップを構成する第１フラップ１５Ｂおよび第３フラップ２３Ｂは、それぞれ隣接する第２壁部１２と第２フラップ１６Ｂとの稜部（折曲線１７ｂ）、および、第４壁部２０と第４フラップ２４Ｂとの稜部（折曲線２５ｂ）に沿って、両側縁の少なくとも一部が延びる。
【００３４】
ついで、図４に示すように、フラップ１５Ｂ，２３Ｂの外面に重畳させるように、第２フラップ１６Ｂを折り曲げるとともに、第４フラップ２４Ｂを折り曲げる。これにより、図示のように、各フラップ１６Ｂ，２４Ｂの先端縁が互いに突き合うとともに、両側縁が隣接する第１壁部１１および第３壁部１９に沿って延びる。
【００３５】
この状態で、粘着テープなどの周知の固着手段を使用し、フラップ１５Ｂ，１６Ｂ，２３Ｂ，２４Ｂにより一端を閉塞した状態を維持する。そして、上下を反転させ、開放したフラップ１５Ａ，１６Ａ，２３Ａ，２４Ａの側から、内部に商品を収容させる。
【００３６】
その後、図５に示すように、内フラップを構成する第１フラップ１５Ａおよび第３フラップ２３Ａを内向きに折り曲げた後、外フラップを構成する第２フラップ１６Ａおよび第４フラップ２４Ａを折り曲げ、粘着テープなどの固着手段で封緘する。
【００３７】
この包装箱では、内フラップを構成する第１フラップ１５Ａ，１５Ｂおよび第３フラップ２３Ａ，２３Ｂの両側縁が隣接する第２壁部１２と第２フラップ１６Ａ，１６Ｂの稜部、および、第４壁部２０と第４フラップ２４Ａ，２４Ｂの稜部に沿って延びる。そのため、組立状態の包装箱の全ての隅部の剛性は勿論、全体の剛性を高めることができる。その結果、包装箱が変形して外観が悪くなることを防止でき、内部の商品価値が著しく低下することを防止できる。
【００３８】
また、封緘した複数の包装箱を保管する場合には、第１および第２の包装箱の第４壁部２０，２０を互いに突き合わせ、第１の包装箱の第１壁部１１である短辺側に、第２の包装箱の第３壁部１９である長辺側を位置させる。これにより、２個の包装箱で長方形状をなすように構成でき、保管スペースの削減を図ることができる。
【００３９】
なお、本発明の包装箱は、前記実施形態の構成に限定されるものではなく、種々の変更が可能である。
【００４０】
例えば、前記実施形態では、包装箱を２枚のブランク１０，１８により構成したが、図７および図８に示すように、一枚のブランクにより構成してもよい。この場合、図示のように、第１壁部１１と第４壁部２０がそれぞれブランクの両端に位置するように配置することが好ましい。
【００４１】
また、前記実施形態では、第１フラップ１５Ａ，１５Ｂの一方側縁は、その一部のみを第４壁部２０および第４フラップ２４Ａ，２４Ｂの稜部に沿って延びるように構成したが、全体が沿うように構成してもよい。勿論、第１フラップ１５Ａ，１５Ｂおよび第３フラップ２３Ａ，２３Ｂは、各側縁それぞれの少なくとも一部のみが隣接する第２壁部１２と第２フラップ１６Ａ，１６Ｂの稜部、および、第４壁部２０と第４フラップ２４Ａ，２４Ｂの稜部に沿うように構成してもよい。そして、第１フラップ１５Ａ，１５Ｂには、切欠部２７を設けない構成としてもよい。
【００４２】
さらに、前記実施形態では、第１から第４の壁部１１，１２，１９，２０の上下端縁にそれぞれフラップ１５Ａ，１５Ｂ，１６Ａ，１６Ｂ，２３Ａ，２３Ｂ，２４Ａ，２４Ｂを連設したが、少なくとも一方のみに蓋を構成するフラップを形成し、他方を別体の蓋により閉塞する構成としてもよい。
【００４３】
そして、前記実施形態では、第２壁部１２を隣接する第１壁部１１および第３壁部１９に対して直角方向に延びるように構成したが、対向する第４壁部２０と同様に傾斜して延びる平面視台形状の構成であっても、フラップの両側縁を隣接する稜部に沿って延ばすという構成は有効である。
【図面の簡単な説明】
【００４４】
【図１】本発明の実施形態に係る包装箱の折畳状態を示す斜視図である。
【図２】図１の包装箱の第１組立工程を示す斜視図である。
【図３】図１の包装箱の第２組立工程を示す斜視図である。
【図４】図１の包装箱の第３組立工程を示す斜視図である。
【図５】図１の包装箱の組立状態を示す斜視図である。
【図６】（Ａ）は第１ブランクの平面図、（Ｂ）は第２ブランクの平面図である。
【図７】包装箱の変形例を示す斜視図である。
【図８】図７の包装箱のブランクを示す平面図である。
【符号の説明】
【００４５】
１１…第１壁部
１２…第２壁部
１４ａ，１４ｂ…折曲線
１５Ａ，１５Ｂ…第１フラップ
１６Ａ，１６Ｂ…第２フラップ
１７ａ，１７ｂ…折曲線（稜部）
１９…第３壁部
２０…第４壁部
２２ａ，２２ｂ…折曲線
２３Ａ，２３Ｂ…第３フラップ
２４Ａ，２４Ｂ…第４フラップ
２５ａ，２５ｂ…折曲線（稜部）
２６…折畳用折曲線
２７…切欠部
【図１】
2007230630.tif 000003
【図２】
2007230630.tif 000004
【図３】
2007230630.tif 000005
【図４】
2007230630.tif 000006
【図５】
2007230630.tif 000007
【図６】
2007230630.tif 000008
【図７】
2007230630.tif 000009
【図８】
2007230630.tif 000010